【事件の表示】
　特許第３０３２１７１号「建築用ガスケット」の請求項１、２に係る特許に対する特許異議の申立てについて、次のとおり決定する。
【結　論】
　訂正を認める。
　特許第３０３２１７１号の請求項１に係る特許を維持する。
【理　由】
一　手続の経緯
　本件特許第３０３２１７１号の請求項１ないし３に係る発明は、平成９年２月６日に特許出願され、平成１２年２月１０日にその特許権の設定登録がなされ、その後、請求項１及び２に係る発明の特許についてワイ　ケイ　ケイ　アーキテクチュラル　プロダクツ株式会社より特許異議の申立てがなされ、平成１３年５月８日付けで取消理由通知がなされ、その指定期間内である平成１３年７月１７日付けで訂正請求がなされ、平成１３年１２月５日付けで訂正拒絶理由通知を兼ねた取消理由通知がなされ、その指定期間内である平成１３年１２月１９日付けで、平成１３年７月１７日付けの訂正請求が取り下げられるとともに、新たな訂正請求がなされたものである。
　
二　訂正の適否についての判断
１．訂正の内容
　平成１３年１２月１９日付けの訂正請求書により、特許権者が求めている訂正の内容は次のとおりである。
　
訂正事項１
　特許請求の範囲の請求項１を次のように訂正する。
「窓枠サッシとコンクリート壁間に固定される、細長い押出し成形体であって、断面において、主部の下部に係合部を一体に配した構成において、前記係合部は、水平なカギ部の上に直立部が立設されて略逆Ｔ字形に形成され、該係合部は、カギ部と直立部の交叉内角部の少なくとも一か所に、易曲溝が形成され、前記主部は、前記直立部の上に水平に配された基部の左端部に短立上り片が、右端部には長立上り片が、それぞれ立設され、前記短立上り片の上部から斜上片を右斜上向きに立上げて、その先端部は長立上り片の高さとほぼ同じく、かつ基部の左右中間部に位置するように設定され、前記斜上片の上部から左短側壁が、長立上り片の上部から右長側壁が、それぞれ左斜上方に向けて立ち上げられ、その先端部を結合した交点と、長立上り片と基部の交点を結ぶ線Ｌが、基部に対して約４５度に傾斜設定されていることを特徴とする建築用ガスケット。」
　
訂正事項２
　特許請求の範囲の請求項２を削除する。
　
訂正事項３
　旧請求項３を新たに請求項２とする。
　
訂正事項４
　発明の詳細な説明の段落【００１１】１行（本件特許公報２頁４欄３２行）の「第３」を「第２」と訂正する。
　
訂正事項５
　発明の詳細な説明の段落【００１３】【発明の実施の形態】５ないし６行（同３頁５欄１１行）の「直立部３」を「直立部３Ａ」に、「カギ部３」を「カギ部３Ｂ」に、それぞれ訂正する。
　
訂正事項６
　図１を訂正請求書に添付した図１に訂正する。
　
訂正事項７
　図２を訂正請求書に添付した図２に訂正する。
　
２．訂正の目的の適否、新規事項の有無及び拡張変更の存否
　訂正事項１は、願書に添付した明細書の特許請求の範囲の請求項１において、建築用ガスケットを「窓枠サッシとコンクリート壁間に固定される」と限定するとともに、係合部を「カギ部と直立部の交叉内角部の少なくとも一か所に、易曲溝が形成され」と限定したものであって、特許請求の範囲の減縮を目的とするものである。
　訂正事項２は、請求項の削除であり、特許請求の範囲の減縮を目的とするものである。
　訂正事項３は、訂正事項２による請求項２の削除に伴う訂正であり、明りょうでない記載の釈明を目的とするものである。
　訂正事項４ないし７は、いずれも明りょうでない記載の釈明又は誤記の訂正を目的とするものである。
　そして、本件訂正は、願書に添付した明細書又は図面に記載した事項の範囲内の訂正であり、さらに、実質上特許請求の範囲を拡張し、又は変更するものではない。
　
３．独立特許要件
　本件訂正において、特許異議の申立てがされていない訂正後の請求項２について、発明の詳細な説明の誤記の訂正がされているので、訂正後の請求項２に係る発明の独立特許要件について検討する。
　
３−１．請求項２に係る発明
　訂正後の請求項２に係る発明（以下、「本件訂正発明２」という。）は、訂正明細書及び訂正図面の記載からみて、その特許請求の範囲の請求項２に記載された次の事項により特定されるとおりのものである。
　
「細長い押出し成形体であって、断面において、主部の下部に係合部を一体に配した構成において、前記係合部は水平なカギ部の上に直立部が立設されて略逆Ｔ字形に形成され、前記主部は、前記直立部の上に水平に配された基部の左端部に短立上り片が、右斜上向きに立設され、基部の右端部には断面略し字形の長立上り片が、下半部をほぼ直立とし、上部を左斜上向きとして、その先端部からの垂線Ｍが基部の左端側に至るよう位置して立設され、前記長立上り片の斜上面が加圧されたとき、長立上り片が屈曲して短立上り片で支持されるように構成されていることを特徴とする建築用ガスケット。」
　
３−２．刊行物
　ＹＫＫアーキテクチュラルプロダクツ株式会社カタログ「玄関ドア　プロント　ＰＲＯＮＴＯ２３・２０」，表紙、１７頁、２１頁、１３１頁、１３７頁、１３８頁及び裏表紙（当審が通知した平成１３年５月８日付けの取消理由に引用された刊行物。特許異議申立人の提出した甲第１号証の１。以下、「刊行物」という。）
　
　刊行物は、ＹＫＫアーキテクチュラルプロダクツ株式会社の「プロント２３」及び「プロント２０」なる名称の玄関ドアのカタログであって、その裏表紙には、「表示内容は１９９５年３月現在のものです。」、「表示価格は１９９５年３月現在の部材標準販売価格です。」及び「発行／１９９５年３月（１版）」と記載されている。また、１９９５年３月１５日発行の「日経産業新聞」２２面（特許異議申立人ＹＫＫアーキテクチュラルプロダクツ株式会社の提出した甲第３号証の１及び甲第３号証の２（甲第３号証の１の一部を拡大したもの））には、「ＹＫＫアーキテクチュラルプロダクツ…は都会的センスを売り物にした玄関ドア「プロント」を四月三日から首都圏限定で発売する。」（２２面下方中央右）と記載されており、１９９５年３月１６日発行の「日刊工業新聞」２６面（特許異議申立人ＹＫＫアーキテクチュラルプロダクツ株式会社の提出した甲第３号証の３及び甲第３号証の４（甲第３号証の３の一部を拡大したもの））には、「ＹＫＫアーキテクチュラルプロダクツ…は、出窓や玄関ドアなど首都圏限定発売の戦略商品を四月から発売する。」、「また玄関ドア「プロント」は…今回発売するのは２３タイプが十デザイン、２０タイプが六デザインの計十六デザイン。」（２６面左方中央上）と記載されている。上記刊行物の記載、及び上記「日経産業新聞」、「日刊工業新聞」の記載を総合すると、刊行物のカタログは遅くとも１９９５年４月には顧客に対して頒布されたものと認められる。
　
　刊行物の２１頁中央右に記載の下枠の納まり図、及び同頁下方右に記載の縦框の納まり図には、ドアの下枠又は縦框に固定された建築用ガスケットがドアと接触している状態及びドアが閉鎖されている状態が記載されていることからみて、加圧された状態の建築用ガスケットが描かれているものと認められる。
　そして、上記図面からは、非加圧状態にある建築用ガスケットとして、「断面において、主部の下部に係合部を一体に配した構成において、係合部はカギ部の上に直立部が立設されて形成され、主部は、直立部の上に水平に配された基部の左端部に短立上り片が、右端部には長立上り片がそれぞれ立設され、短立上り片の上部から斜上片を右斜上向きに立上げて、その先端部は長立上り片の高さとほぼ同じく、かつ基部の左右中間部に位置するように設定され、斜上片の上部から左短側壁が、長立上り片の上部から右長側壁が、それぞれ左斜上方に向けて立ち上げられ、その先端部を結合した建築用ガスケット。」の発明が記載されていると認められる。
　
３−３．対比・判断
　本件訂正発明２と刊行物に記載の発明とを比較すると、刊行物に記載の発明の建築用ガスケットは、ドアの下枠、縦框に適用されるものであるから、細長い形状を有することは明らかであり、また、細長い建築用ガスケットを押出し成形により製造することは普通に行われていることであるから、両者は、「細長い押出し成形体であって、断面において、主部の下部に係合部を一体に配した構成において、係合部はカギ部の上に直立部が立設されて形成され、主部は、直立部の上に水平に配された基部の左端部に短立上り片が立設され、基部の右端部には長立上り片が立設されている建築用ガスケット。」の点で一致し、次の点で相違する
　
相違点１
　本件訂正発明２では、係合部は水平なカギ部の上に直立部が立設されて略逆Ｔ字形に形成されるのに対し、刊行物に記載の発明では、カギ部が水平ではなく、したがって、係合部は略逆Ｔ字形に形成されない点
　
相違点２
　本件訂正発明２では、短立上り片が右斜上向きに立設され、長立上り片が断面略し字形であり、下半部をほぼ直立とし、上部を左斜上向きとして、その先端部からの垂線Ｍが基部の左端側に至るよう位置して立設され、長立上り片の斜上面が加圧されたとき、長立上り片が屈曲して短立上り片で支持されるように構成されているのに対し、刊行物に記載の発明では、そのような構成を備えていない点
　
　そこで、相違点２について検討すると、相違点２に係る本件訂正発明２の構成は、公知の技術事項ではなく、周知慣用技術でもない。そして、本件訂正発明２は、相違点２に係る構成を備えることにより、刊行物に記載の発明からは期待できない、明細書に記載の顕著な効果を奏するものである。
　したがって、相違点１については検討するまでもなく、本件訂正発明２は、刊行物に記載の発明に基いて当業者が容易に発明をすることができたものであるとはいえず、本件訂正発明２は、特許出願の際、独立して特許を受けることができるものである。
　
４．むすび
　以上のとおりであるから、上記訂正は、特許法第１２０条の４第２項及び同条第３項において準用する特許法第１２６条第２項から第４項までの規定に適合するので、当該訂正を認める。
　
三　特許異議の申立てについて
１．申立ての理由の概要
　特許異議申立人ワイ　ケイ　ケイ　アーキテクチュラル　プロダクツ株式会社は、甲第１号証ないし甲第３号証の４及び証人尋問申請書を提出し、請求項１及び２に係る発明は、甲第１号証の１又は甲第２号証の１に添付された説明書及び説明図面のものと同一であるから、特許法第２９条第１項の規定により特許を受けることができないものであり、請求項１及び２に係る特許は取り消されるべきものである旨主張している。
　
２．本件発明
　上記二で示したように本件訂正が認められるから、本件の請求項１に係る発明（以下、「本件訂正発明１」という。）は、上記「二　１．　訂正事項１」で示した訂正明細書の特許請求の範囲の請求項１に記載された事項により特定されるとおりのものである。
　
３．刊行物
　当審が通知した平成１３年５月８日付けの取消理由に引用された刊行物である、ＹＫＫアーキテクチュラルプロダクツ株式会社カタログ「玄関ドア　プロント　ＰＲＯＮＴＯ２３・２０」，表紙、１７頁、２１頁、１３１頁、１３７頁、１３８頁及び裏表紙には、上記「二　３−２．刊行物」で示した発明が記載されていると認められる。
　
４．対比・判断
　本件訂正発明１と刊行物に記載の発明とを比較すると、刊行物の上記図面からは、建築用ガスケットの非加圧状態において、左短側壁と右長側壁の先端部を結合した交点と、長立上り片と基部の交点を結ぶ線Ｌが、基部に対して傾斜設定される角度は４５度前後と認められるものの、約４５度であるかは必ずしも明らかではないが、該傾斜角度の設定は、建築用ガスケットの易曲性及び弾発性を考慮しつつ適宜設定し得る程度のものであり微差にすぎず、また、刊行物に記載の建築用ガスケットは、ドアの下枠、縦框に適用されるものであるから、細長い形状を有することは明らかであり、さらに、細長い建築用ガスケットを押出し成形により製造することは普通に行われていることであるから、両者は、「細長い押出し成形体であって、断面において、主部の下部に係合部を一体に配した構成において、係合部はカギ部の上に直立部が立設されて形成され、主部は、直立部の上に水平に配された基部の左端部に短立上り片が、右端部には長立上り片がそれぞれ立設され、短立上り片の上部から斜上片を右斜上向きに立上げて、その先端部は、長立上り片の高さとほぼ同じく、かつ基部の左右中間部に位置するように設定され、斜上片の上部から左短側壁が、長立上り片の上部から右長側壁が、それぞれ左斜上方に向けて立ち上げられ、その先端部を結合した交点と、長立上り片と基部の交点を結ぶ線Ｌが、基部に対して約４５度に傾斜設定されている建築用ガスケット。」の点で一致し、次の点で相違する。
　
相違点１
　本件訂正発明１では、建築用ガスケットは窓枠サッシとコンクリート壁間に固定されるのに対し、刊行物に記載の発明では、建築用ガスケットはドアの下枠、縦框に固定される点
　
相違点２
　本件訂正発明１では、係合部は水平なカギ部の上に直立部が立設されて略逆Ｔ字形に形成され、カギ部と直立部の交叉内角部の少なくとも一か所に、易曲溝が形成されるのに対し、刊行物に記載の発明では、カギ部が水平ではなく、カギ部と直立部の交叉内角部に易曲溝を備えていない点
　
　そこで、相違点２について検討すると、相違点２に係る本件訂正発明１の構成は、公知の技術事項ではなく、周知慣用技術でもない。そして、本件訂正発明１は、相違点２に係る構成を備えることにより、刊行物に記載の発明からは期待できない、明細書に記載の顕著な効果を奏するものである。
　したがって、相違点１については検討するまでもなく、本件訂正発明１は、刊行物に記載の発明であるとも、刊行物に記載の発明に基いて当業者が容易に発明をすることができたものであるともいえない。
　
　なお、甲第２号証の１の証明書に添付された説明図に記載された建築用ガスケットは、刊行物に記載された発明の建築用ガスケットと同一構成のものであるから、当該証明書又は特許異議申立人が申請している証人尋問により、当該説明図に記載された建築用ガスケットが公知公用であることが証明されたとしても、上記と同様の理由により、本件訂正発明１が当該説明図に記載の発明であるとも、当該説明図に記載の発明に基いて当業者が容易に発明をすることができたものであるともいえない。
　
５．むすび
　以上のとおりであるから、特許異議の申立ての理由によっては本件訂正発明１についての特許を取り消すことはできない。
　また、他に本件訂正発明１についての特許を取り消すべき理由を発見しない。
　よって、結論のとおり決定する。
【異議決定日】
平成１４年２月６日（２００２．２．６）
【訂正の要旨】
訂正の要旨
　特許第３０３２１７１号発明の明細書及び図面を、本件特許異議申立に関連してなされた訂正請求書に添付された訂正明細書及び訂正図面のとおりに訂正する。
　すなわち、特許請求の範囲の減縮を目的として訂正事項１及び２のとおり、誤記の訂正又は明りょうでない記載の釈明を目的として訂正事項３ないし７のとおり訂正する。
訂正事項１
　特許請求の範囲の請求項１を次のように訂正する。
「窓枠サッシとコンクリート壁間に固定される、細長い押出し成形体であって、断面において、主部の下部に係合部を一体に配した構成において、前記係合部は、水平なカギ部の上に直立部が立設されて略逆Ｔ字形に形成され、該係合部は、カギ部と直立部の交叉内角部の少なくとも一か所に、易曲溝が形成され、前記主部は、前記直立部の上に水平に配された基部の左端部に短立上り片が、右端部には長立上り片が、それぞれ立設され、前記短立上り片の上部から斜上片を右斜上向きに立上げて、その先端部は長立上り片の高さとほぼ同じく、かつ基部の左右中間部に位置するように設定され、前記斜上片の上部から左短側壁が、長立上り片の上部から右長側壁が、それぞれ左斜上方に向けて立ち上げられ、その先端部を結合した交点と、長立上り片と基部の交点を結ぶ線Ｌが、基部に対して約４５度に傾斜設定されていることを特徴とする建築用ガスケット。」
訂正事項２
　特許請求の範囲の請求項２を削除する。
訂正事項３
　旧請求項３を新たに請求項２とする。
訂正事項４
　発明の詳細な説明の段落【００１１】１行（本件特許公報２頁４欄３２行）の「第３」を「第２」と訂正する。
訂正事項５
　発明の詳細な説明の段落【００１３】【発明の実施の形態】５ないし６行（同３頁５欄１１行）の「直立部３」を「直立部３Ａ」に、「カギ部３」を「カギ部３Ｂ」に、それぞれ訂正する。
訂正事項６
　図１を訂正請求書に添付した図１に訂正する。
訂正事項７
　図２を訂正請求書に添付した図２に訂正する。
（５４）【発明の名称】
建築用ガスケット
（５７）【特許請求の範囲】
　【請求項１】　
窓枠サッシとコンクリート壁間に固定される、
係合部は、カギ部と直立部の交叉内角部の少なくとも一か所に、易曲溝が形成され、
　
【請求項２】
【発明の詳細な説明】
　【０００１】
　【発明の属する技術分野】。
　この発明は、建築用ガスケットに係り、特に取付具に取付けやすく離脱しにくい建築用ガスケットに関する。
　【０００２】
　【従来の技術】
　従来、例えば窓枠サッシとコンクリート壁間に建築用ガスケットを固定する場合には、壁に固定された金属片や樹脂のパネルにガスケットを接着し、あるいは壁に固定した断面略Ｃ状の取付具にガスケットの基部を押し込んだり横に引入れたりして嵌装している。
　【０００３】
　【発明が解決しようとする課題】
　上記のように、例えば接着剤を使用して固定する場合には、接着剤を塗布してから凝固・乾燥までの時間が必要で、それを待って次の工程にかかるための工事がはかどらない難点があった。また、断面略Ｃ状の取付具にガスケットの基部を嵌装するものにおいては、人手で押込んだり横に引入れたりする強い労力を必要として、嵌装することが困難であり、嵌装することが容易なものでは嵌装後にガスケットがはずれやすいという難点があった。また弾力性のあるガスケットにおいては、圧縮されると幅が広がるという難点があった。この発明は、それらの実情に鑑みて、取付具に取付けやすく、取付後は外れにくく、圧縮しても幅が広がらない建築用ガスケットを提供する事を目的として開発されたものである。
　【０００４】
　【課題を解決するための手段】
　この発明は、前記課題を解決するために、次のような技術的な手段を講じた。
　【０００５】
　すなわち、主たる構成として、細長い押出し成形体であって、断面において、主部の下部に係合部を一体に配した構成において、前記係合部は水平なカギ部の上に直立部が立設されて、前記係合部は、水平なカギ部の上に直立部が立設されて略逆Ｔ字形に形成され、前記主部は、前記直立部の上に水平に配された基部の左端部に短立上り片が、右端部には長立上り片が、それぞれ立設され、前記短立上り片の上部から斜上片を右斜上向きに立上げて、その先端部は長立上り片の高さとほぼ同じく、かつ基部の左右中間部に位置するように設定され、前記斜上片の上部から左短側壁が、長立上り片の上部から右長側壁が、それぞれ左斜上方へ向けて立ち上げられ、その先端部を結合した交点と、長立上り片と基部の交点を結ぶ線Ｌが、基部に対して約４５度に傾斜設定され、前記係合部のカギ部と直立部の交叉内角部に易曲溝が形成されている建築用ガスケット、として構成されている。
　【０００６】
　前記斜上片と左短側壁の交差外部に易曲溝が形成されている建築用ガスケット。
　【０００７】
　また、細長い押出し成形体であって、断面において、主部の下部に係合部を一体に配した構成において、前記係合部は水平なカギ部の上に直立部が立設されて略逆Ｔ字形に形成され、前記主部は、前記直立部の上に水平に配された基部の左端部に短立上り片が、右斜上向きに立設され、基部の右端部には断面略Ｌ字形の長立上り片が、下半部をほぼ直立とし、上部を左斜上向きとして、その先端部からの垂線Ｍが基部の左端側に至るように位置して立設され、前記長立上り片の斜上面が加圧されたとき、長立上り片が屈曲して短立上り片で支持されるように構成されている建築用ガスケット、として構成されている。
　【０００８】
　【作用】
　上記のように構成されたこの発明はによれば、次のような作用を有している。
　【０００９】
　すなわち、一般のシールリップは、薄い一枚のシート状のものであるので、圧縮されると平坦になり、反発性に乏しい。この発明の主たる構成では、右長側壁の上から加圧されると、右長側壁と左短側壁とが斜上片と長立上り片との交差部分から下傾する。この場合、力は斜上片の上部にかかるので、斜上片の上部が傾斜しながら弾発的に支持する。斜上片と左短側壁と右長側壁とが重なるとき、右長側壁上面はほぼ水平となる。それ以上の力がかかると、短立上り片と長立上り片とで支持される。この状態でガスケットとして使用することができる。
　【００１０】
　加圧されている状態で、右長側壁は斜上片と左短側壁の弾発力により弾発されているので、水密性に優れている。従ってガスケットとしてのほか、右長側壁の屈伸により戸当りとしても適している。前記斜上片の弾発性を強くするために肉厚を大きくしたとき、前記斜上片と左短側壁の交差外部に易曲溝が形成されていると、左短側壁を曲げやすい。
　【００１１】
　第
２
　【００１２】
　ガスケットの直立部とカギ部とで略逆Ｔ字状に構成された係合部を、嵌着口の狭い取付具に嵌装させることは困難であるが、この発明においては、ガスケットの直立部とカギ部の交差内角部に易曲溝を形成したため、カギ部はその易曲部から容易に曲がりやすくなった。そのため、取付具にガスケットを嵌装させるときにはカギ部の先端部を、易曲溝部分から曲げることによって容易に取付具に押し込み或いは横に引き入れ嵌装させることができる。またガスケットを引抜こうとすると、カギ部が大きな抵抗になって取付具から容易に引き出すことはできない。
　【００１３】
　【発明の実施の形態】
　この発明の実施の形態例を図面を参照して説明する。図１は第１実施形態例を示す、戸当りに適している建築用ガスケットの正面図である。この建築用ガスケット１は、弾性ポリマー、例えばシリコンゴム系などからなるもので、押出成形により細長い長尺物として製造され、適宜の長さに裁断して使用される。建築用ガスケット１は断面において、主部２と、主部２の下部に一体に付設された直立部３
Ａ
Ｂ
　【００１４】
　また基部２Ａに対するその左右側壁２Ｂ，２Ｃの屈曲内側角部に、それぞれ易曲溝４，４が形成されている。また係合部３においては、カギ部３Ｂの一方は角板形で、その直立部３Ａとカギ部３Ｂの交差内角部に易曲溝４が形成されていない。この使用方法は、取付具５の装着口５Ａにカギ部３Ｂの一方（角板形の方）を先に入れて、斜面のある方を押し込むと、カギ部３Ｂの斜面が装着口縁にすれて易曲溝４部分から曲がり中に嵌込むことができ、取付具５に容易に装着させることができる。
　【００１５】
　図２は窓サッシなどの戸当りに適した建築用ガスケット１の正面図を示す。この建築用ガスケット１は主部２が中空でなく、基部２Ａに対する左右２っの立上り片２Ｄ，２Ｅで構成されている点に特徴がある。すなわち、細長い押出成形体であって、断面において、主部２の下部に係合部３を一体に配した構成において、前記係合部３は水平なカギ部３Ｂの上に直立部３Ａが立設されて略逆Ｔ字形に形成されている。該直立部３Ａの断面は、図示するように、下部よりも上部が幅広に設定されたテーパ状に形成されている。
　【００１６】
　前記主部２は、前記係合部３の直立部３Ａの上に水平に配された基部２Ａの左端部に短立上り片２Ｄが、右斜上向きに立設され、基部２Ａの右端部には断面略し字形の長立上り片２Ｅが、下半部をほぼ直立とし、上部を左斜上向きとして、その先端部からの垂線Ｍが基部２Ａの左端側に至るよう位置して立設されている。前記長立上り片２Ｅの斜上面が加圧されたとき、長立上り片２Ｅが屈曲して短立上り片２Ｄで支持されるように構成されている。該短立上り片２Ｄは背が低く、約６０度の角度で図２の右方向に傾斜しており、他方の長立上り片２Ｅは背が高く、基端部は基部２Ａよりもやや肉厚で図２の左方向に湾曲し、先端部は基部２Ａに対して約５０度の角度で左方向に傾斜しており、長立上り片２Ｅの上面に戸窓が当接したときには屈曲して背の低い短立上り片２Ｄに支持される態様に構成されている。また係合部３は直立部３Ａの下端部が肉薄に形成され、その直立部３Ａとカギ部３Ｂの交差内角部に易曲溝４が形成されている。係合部３と易曲溝４の作用効果は前例と同じである。
　【００１７】
　なお、この発明は、前記実施形態に限定されるものではなく、取付け位置、形状その他ガスケットの目的に合うように適宜設計変更をすることができる。
　【００１８】
　【発明の効果】
　上記のように構成されたこの発明は、次のような優れた効果を有している。
　【００１９】
　Ａ．建築用ガスケット主部の下部に付設された直立部とカギ部とで構成される係合部において、直立部３Ａとカギ部３Ｂの交差内角部に、カギ部３Ｂの曲がりを容易にするための易曲溝４をが形成されているため、カギ部３Ｂの先端部が易曲溝４部分から曲げやすくなり、その結果装着口の狭い、断面略Ｃ状の取付具に容易に押し込み、或いは横に引き込んで装着することが出来る効果があると共に、装着後は取付具から外れにくいという効果がある。
　【００２０】
　Ｂ．押出し成形で量産することができるため、コスト負担にならないという効果がある。
　【００２１】
　Ｃ．主部の形状がどのようなものであっても、係合部の易曲溝を適用させることができるという効果がある。
　【００２２】
　Ｄ．第１形態例においては、右長側壁の自由端部が左短側壁と斜上片によって弾発されているので、右長側壁の自由端部が基部方向に下がっても、基部の側面より外方向へはみ出すことがない効果、水密性に優れている効果がある。
　【００２３】
　Ｅ．第２形態例においては、長立上り片の基端部が太く、弾発性に優れ、加圧されたときに先端部は短立上り片で支持されるので、基部の側面より外方向へはみ出すことがない効果、水密性に優れている効果がある。
【図面の簡単な説明】
　【図１】第１実施形態例を示す建築用ガスケットの正面図である。
　【図２】第２実施形態例を示す建築用ガスケットの正面図である。
　【符号の説明】
１　　建築用ガスケット
２　　主部
２Ａ　基部
２Ｂ　左短側壁
２Ｃ　右長側壁
２Ｄ　短立上り片
２Ｅ　長立上り片
２Ｆ　斜上片
３　　係合部
３Ａ　直立部
３Ｂ　カギ部
４　　易曲部
５　　取付具
５Ａ　装着口
Ｌ　　対角線
Ｍ　　垂線
【図面】